(57)【要約】【課題】熟練者でなくとも、自分でレイヤー、シャギー、ディスコネクト、グラデーション、ヘアーアレンジ等のスタイリングを手軽に行うことを可能にする各種ヘアスタイリング用櫛並びに該櫛を構成するためのアタッチメントを提供することを課題とする。【解決手段】櫛歯列３間に適宜間隔置きにブロック４を配したことを特徴とする各種ヘアスタイリング用櫛、及び、１又は複数の櫛歯３にはめ付け可能にしたブロック４から成る櫛アタッチメントである。【選択図】　　　　図１
2004097777.tif 000002
【特許請求の範囲】
【請求項１】
櫛歯列間に適宜間隔置きにブロックを配したことを特徴とする各種ヘアスタイリング用櫛。
【請求項２】
前記ブロックが１又は複数の櫛歯にはめ付けるチューブである請求項１に記載の各種ヘアスタイリング用櫛。
【請求項３】
前記ブロックが脱着可能である請求項１又は２に記載の各種ヘアスタイリング用櫛。
【請求項４】
前記ブロックが適宜間隔置きに連結されたものである請求項１乃至３のいずれかに記載の各種ヘアスタイリング用櫛。
【請求項５】
前記ブロックが予め櫛に設置されたものである請求項１に記載の各種ヘアスタイリング用櫛。
【請求項６】
前記ブロックがソフトシリコン製である請求項１乃至５のいずれかに記載の各種ヘアスタイリング用櫛。
【請求項７】
前記ブロックの上端部は、球状に膨出したものである請求項１乃至６のいずれかに記載の各種ヘアスタイリング用櫛。
【請求項８】
１又は複数の櫛歯にはめ付け可能にしたブロックから成る櫛アタッチメント。
【請求項９】
前記ブロックがチューブである請求項８に記載の櫛アタッチメント。
【請求項１０】
請求項８又は９に記載のブロックが、適宜間隔置きに連結されて成る櫛アタッチメント。
【請求項１１】
前記ブロックがソフトシリコン製である請求項８乃至１０のいずれかに記載の櫛アタッチメント。
【請求項１２】
前記ブロックの上端部は、球状に膨出したものである請求項８乃至１１のいずれかに記載の櫛アタッチメント。
【発明の詳細な説明】
【０００１】
【発明の属する技術分野】
本発明は、各種ヘアスタイリング用櫛及び櫛アタッチメント、より詳細には、レイヤー、シャギー、ディスコネクト、グラデーション、ヘアーアレンジ等の各種ヘアスタイリングを、専門家によらずに容易に行ない得る、各種ヘアスタイリング用櫛及び櫛アタッチメントに関するものである。
【０００２】
【従来の技術】
頭髪を不揃いにして変化を持たせるヘアカット技法として、上側を短くし、下側（襟足）にいくにつれて長く段を付けるレイヤーカット、レザー又はハサミを用いて毛を不揃いにそぐシャギーカット、レザー又はハサミを用い、毛束ごとに上下左右がつながりのないように意図的に長短を付けるディスコネクトカット、上側が長く、下側（襟足）にいくにつれて短く段を付けたグラデーションカット、あるいは、櫛で筋を付け、そのままヘアーアクセサリー等で留めて立体感（畝）のあるスタイルにするヘアーアレンジ等が知られている。
【０００３】
これらレイヤー、シャギー、ディスコネクト、グラデーション、ヘアーアレンジ等の技法を施すには、相当な技術と熟練を要する。ましてや、これを自分で満足いくように行うことは、至難の業である。それは偏に、そのようなスタイリングを行うのに適した道具がないからである。
【０００４】
【発明が解決しようとする課題】
上述したように、レイヤー、シャギー、ディスコネクト、グラデーション、ヘアーアレンジ等のスタイリングには相当な技術を要し、熟練者でない者が自分ですることは極めて困難なことであった。
【０００５】
そこで、本発明は、熟練者でなくとも、自分でレイヤー、シャギー、ディスコネクト、グラデーション、ヘアーアレンジ等のスタイリングを手軽に行うことを可能にする各種ヘアスタイリング用櫛並びに該櫛を構成するためのアタッチメントを提供することを課題とする。
【０００６】
【課題を解決するための手段】
本発明は、櫛歯列間に適宜間隔置きにブロックを配したことを特徴とする各種ヘアスタイリング用櫛、及び、１又は複数の櫛歯にはめ付け可能にしたブロックから成る櫛アタッチメント、を以て上記課題を解決した。
【０００７】
好ましくは、前記ブロックを、１又は複数の櫛歯にはめ付けるチューブとし、前記ブロックの脱着を可能にし、ブロックをソフトシリコン製とし、また、ブロックの上端部を球状に膨出させる。各ブロックはバラバラであってもよいが、複数のブロックを適宜間隔置きに連結して一体化することもできる。
【０００８】
【発明の実施の形態】
本発明の実施の形態につき、添付図面に依拠して説明する。図１は、本発明に係る各種ヘアスタイリング用櫛１の一実施形態を示すもので、それは、一般のものと同様に、把持部２と櫛歯３を有するが、把持部２の有無は問わず、また、櫛１の材質も、特に問わない。
【０００９】
本発明に係る櫛１は、ブロックを備える。ブロックは、予め櫛１に設置されることもあり、また、既存の櫛１に後から取り付けることもある。ブロックは、例えば、間に櫛歯３が２〜４本程度存する間隔置きに予め立設し、あるいは、後から取り付ける。ブロックは通例円柱形であるが、これに限らず、四角柱、六角柱、楕円柱等であってもよい。
【００１０】
既存の櫛１に後から取り付ける場合は、ブロックは、１又は複数の櫛歯３にはめ付け可能なチューブ４とする。以下の説明は、ブロックとしてチューブ４を用い、且つ、複数の櫛歯３に跨がるようにはめ付け可能にした場合のものである。チューブ４の形状は、上記の通り円柱形とは限らない。
【００１１】
チューブ４は複数用意し、適宜間隔置きに、それぞれ複数の櫛歯３に跨るようにしてはめ込む。チューブ４の配置間隔は、使用者の望むレイヤー、シャギー、ディスコネクト、グラデーション等に合わせて調整する。
【００１２】
チューブ４は、接着等によって櫛歯３に固定してしまってもよいが、好ましくは、上記間隔調整を可能にし、また、交換できるようにするために、脱着可能にする。チューブ４を固定することとする場合は、チューブ４のはめ付け間隔を変えた櫛１を何通りか用意することが好ましい。上記ブロックを予め櫛１に設置する場合についても同様である。
【００１３】
チューブ４の材質は、適度な伸縮性があって櫛歯３にはめ込みやすく、且つ、髪の毛を梳くのに抵抗のないものとし、例えば、ソフトシリコンが好適である。
【００１４】
チューブ４は、バラバラの状態であってもよいし（図１）、髪梳きに邪魔にならないように、適宜間隔置きに下部をつなげて一体化したものであってもよい（図２）。後者の場合は、粗いシャギー用、レイヤー用等として、チューブ間隔の異なる数種のものを用意することが好ましい。
【００１５】
以上いずれの実施形態においても、ブロック（チューブ４）の上端部を、球状に膨出する球状部５とすることもある（図３参照。図３の（Ａ）はレイヤー用、（Ｂ）はシャギー用である。）。図４は、ブロックの上端部を球状にするための方法を示すもので、（Ａ）は、開放した上端部からプラスチック等の球体６をはめ込む方法、（Ｂ）は、閉塞した上端内部に下端開口から球体６を押し込む方法、（Ｃ）は、成形によって上端部に中空膨出部７を形成する方法、（Ｄ）は、成形によって上端部に非中空膨出部８を形成する方法である。
【００１６】
本発明に係る櫛１を、髪の流れに沿って平行に滑らせて髪を梳かした場合、ブロックの当たる部分の髪は押さえられ、ブロックの当たらない部分が梳かれて櫛１から露出することとなるので、その露出した髪を適宜カットしたり、固めたりすることにより、所望の髪型とすることができる。球状部５を設けた場合は、髪が自然に少しずつすくい上げられていく。
【００１７】
図５は、本発明に係る櫛１を利用して、上側が短く、下側（襟足）にいくにつれて長くなるようにして段を付けるレイヤーカットを施している図であり、この場合は、チューブ４の間隔が狭いものを用い、あるいは、はめ付け式チューブ４の場合は、はめ付け間隔を狭くして用いる（図１、図３（Ａ）参照）。
【００１８】
レイヤーカットを行なうには、櫛歯３にはめ込まれたチューブ４に掛かるように、前髪から顔の側部を通り、後髪に向けて櫛１を通す。顔の側部の位置で櫛１を立てた状態で静止した後に、ハイレイヤーの場合には櫛１の下側を外側に開き（図５（Ａ））、逆にローレイヤーの場合には櫛１の上側を外側に開き（図５（Ｂ））、共に好みの角度にしたところで、櫛１をカットしやすい位置まで持ってきて、ハサミを横に入れて露出した髪をカットする（図５（Ｃ））。
【００１９】
これにより、上側から下側に行くにつれて、段々と髪が長くなっているハイレイヤーカット、あるいは、上側から下側に行くにつれて、段々と髪が短くなるローレイヤーカットが完成する。当然のことながら、櫛１の開く角度が大きければ大きいほど、上側と下側の髪の長さの差は大きくなる。
【００２０】
図６は、本発明に係る櫛１を利用して、髪の毛を不揃いにするシャギーカットを行なっている図であり、シャギーカットをする際の櫛歯３にはめ込むチューブ４の間隔は、好みにより変化させる（図３（Ｂ）参照）。このチューブ４の間隔は、詰めれば詰めるほど細かいシャギーカットになる。
【００２１】
シャギーカットを行なう場合は、髪の毛の束を指で挟み、カットしたい長さまで髪の毛を櫛１で持ち上げる（図６（Ａ））。次に、櫛１をカットしやすい位置まで下げ、髪を１ブロック置きにカットする。その場合ハサミは、縦に入れる（図６（Ｂ））。そして、サイドの毛を櫛１でカットしたい長さまで引き上げ、カットする。ハサミは櫛１に対し垂直に入れる（図６（Ｃ））。
【００２２】
図３に示す実施形態の場合は、球状部６を上にして、前髪の内側に当てて梳き上げ（図６（Ａ）の如き状態。この場合梳き上げた髪は、指で挟持しなくても、球状部６、６間に保持される。）、櫛１の外側に出た髪をカットすることにより、内側にレイヤーを入れることができる。また、球状部６を下にして、垂らした前髪の外側に当てて下方に梳き（図６（Ｂ）の如き状態）、櫛１の外側に出た髪をカットすることにより、外側にレイヤーを入れることができる。
【００２３】
本発明に係る櫛１は、上記レイヤーカット、シャギーカットの外、グラデーションカット、ディスコネクトカット等のヘアスタイルや、畝を作ってヘアーアクセサリーで留めたりワックスで固めたりするスタイリング、あるいは、バックコーミング（逆立て）等を行うのに好適である。
【００２４】
【発明の効果】
本発明は上述した通りであって、本発明に係る櫛は、櫛歯列とブロックとを交互に配し、あるいは、１又は複数の櫛歯にチューブをはめ込んだものであり、この各種ヘアスタイリング用櫛を使用することにより、美容師等の熟練者でなくとも、自分で容易にレイヤー、シャギー、ディスコネクト、グラデーション、ヘアーアレンジ等のヘアスタイリングが可能となる効果がある。
【００２５】
また、本発明に係る櫛アタッチメントによれば、美容師等の熟練者でなくとも、自分で容易にレイヤー、シャギー、ディスコネクト、グラデーション、ヘアーアレンジ等のヘアスタイリングを行なうことが可能となる櫛を簡単に構成し得る効果がある。
【図面の簡単な説明】
【図１】本発明に係る櫛の一実施形態を示す図である。
【図２】本発明に係るチュ―ブの一実施形態を示す図である。
【図３】本発明に係る櫛の他の実施形態を示す図である。
【図４】本発明におけるブロック上端の球状部の、それぞれ異なる形成方法を示す図である。
【図５】本発明に係る櫛の使用方法を示す図である。
【図６】本発明に係る櫛の他の使用方法を示す図である。
【符号の説明】
１　　櫛
２　　把持部
３　　櫛歯
４　　チューブ
５　　球状部
６　　球体
７　　中空膨出部
８　　非中空膨出部
【図１】
2004097777.tif 000003
【図２】
2004097777.tif 000004
【図３】
2004097777.tif 000005
【図４】
2004097777.tif 000006
【図５】
2004097777.tif 000007
【図６】
2004097777.tif 000008